(57)【要約】【課題】特定のイベントに関連付けられた画像を容易に検索することができる撮像装置、画像表示装置を提供することを目的とする。【解決手段】前記課題を解決するために、本発明の撮像装置１００は、被写体の画像データを生成する撮像手段１、２と、前記画像データに撮影日時を付加する撮影日時付加手段７と、イベントの始期・終期・特定情報を入力する入力手段６と、前記画像データのうち前記始期・終期の間に前記撮影日時を有する画像データに対して前記特定情報を付加する特定情報付加手段７と、複数の前記特定情報のうち一の特定情報を指定する特定情報指定手段６と、前記指定された特定情報が付加された画像データを検索する検索手段７と、を備えることを特徴とする。【選択図】図２
2011109288.tif 000002
【特許請求の範囲】
【請求項１】
被写体の画像データを生成する撮像手段と、
前記画像データに撮影日時を付加する撮影日時付加手段と、
イベントの始期・終期・特定情報を入力する入力手段と、
複数の前記特定情報のうち一の特定情報を指定する特定情報指定手段と、
前記画像データのうち前記始期・終期の間に前記撮影日時を有する画像データを検索する検索手段と、
を備える、
ことを特徴とする撮像装置。
【請求項２】
被写体の画像データを生成する撮像手段と、
前記画像データに撮影日時を付加する撮影日時付加手段と、
イベントの始期・終期・特定情報を入力する入力手段と、
前記画像データのうち前記始期・終期の間に前記撮影日時を有する画像データに対して前記特定情報を付加する特定情報付加手段と、
複数の前記特定情報のうち一の特定情報を指定する特定情報指定手段と、
前記指定された特定情報が付加された画像データを検索する検索手段と、
を備える、
ことを特徴とする撮像装置。
【請求項３】
撮影日時が付加された画像データを読み込む読込手段と、
イベントの始期・終期・特定情報を入力する入力手段と、
複数の前記特定情報のうち一の特定情報を指定する特定情報指定手段と、
前記画像データのうち前記始期・終期の間に前記撮影日時を有する画像データを検索する検索手段と、
を備える、
ことを特徴とする画像表示装置。
【請求項４】
撮影日時が付加された画像データを読み込む読込手段と、
イベントの始期・終期・特定情報を入力する入力手段と、
前記画像データのうち前記始期・終期の間に前記撮影日時を有する画像データに対して前記特定情報を付加する特定情報付加手段と、
複数の前記特定情報のうち一の特定情報を指定する特定情報指定手段と、
前記指定された特定情報が付加された画像データを検索する検索手段と、
を備える、
ことを特徴とする画像表示装置。
【発明の詳細な説明】
【技術分野】
【０００１】
本発明は、画像を検索することができる撮像装置、画像表示装置に関するものである。
【背景技術】
【０００２】
メモリカードの大容量化に伴って、一枚のメモリカードに保存できる画像の枚数は飛躍的に増加した。デジタルカメラなどの撮像装置は、メモリカードに保存された画像を表示することができる。
【０００３】
また、フォトビューワは、ＨＤＤを内蔵したものが多く、メモリカードよりもさらに多くの画像を保存することができる。さらに、近時は、フォトフレームの普及が進んでいる。フォトフレームは、カードスロットに装着されたメモリカードに保存された画像を表示することができる。
【０００４】
このように、撮像装置や画像表示装置が取り扱うことのできる画像の枚数が増えると、所望の画像を検索することが困難になる。
【０００５】
そこで、特許文献１には、画像に関連付けられた日付に対応するカレンダー内の位置に、画像のサムネイルを表示するグラフィカルユーザインタフェース装置が提案されている。特許文献１に記載のグラフィカルユーザインタフェース装置では、特定の日に撮影された画像を容易に認識することができる。
【先行技術文献】
【特許文献】
【０００６】
【特許文献１】特開２００４−２１３６３１号公報
【発明の概要】
【発明が解決しようとする課題】
【０００７】
しかしながら、特許文献１に記載の技術では、特定の日に撮影された画像を容易に認識することができるものの、特定のイベントに関連付けられた画像を容易に検索することはできない。ユーザーは、特定のイベントに対する認識があっても、そのイベントが発生した日を記憶していない場合もある。このような場合には、日に基づいて特定のイベントに関連付けられた画像を検索することが困難である。
【０００８】
本発明は、特定のイベントに関連付けられた画像を容易に検索することができる撮像装置、画像表示装置を提供することを目的とする。
【課題を解決するための手段】
【０００９】
前記課題を解決するために、本発明の撮像装置は、被写体の画像データを生成する撮像手段と、前記画像データに撮影日時を付加する撮影日時付加手段と、イベントの始期・終期・特定情報を入力する入力手段と、前記画像データのうち前記始期・終期の間に前記撮影日時を有する画像データに対して前記特定情報を付加する特定情報付加手段と、複数の前記特定情報のうち一の特定情報を指定する特定情報指定手段と、前記指定された特定情報が付加された画像データを検索する検索手段と、を備えることを特徴とする。
【００１０】
また、本発明の画像表示装置は、撮影日時が付加された画像データを読み込む読込手段と、イベントの始期・終期・特定情報を入力する入力手段と、前記画像データのうち前記始期・終期の間に前記撮影日時を有する画像データに対して前記特定情報を付加する特定情報付加手段と、複数の前記特定情報のうち一の特定情報を指定する特定情報指定手段と、前記指定された特定情報が付加された画像データを検索する検索手段と、を備えることを特徴とする。
【発明の効果】
【００１１】
以上のように、本発明によれば、イベントの始期・終期・特定情報を入力し、画像データのうち入力された始期・終期の間に撮影日時を有する画像データに対して入力された特定情報を付加するので、特定のイベントに関連付けられた画像を容易に検索することができるという効果を奏する。
【図面の簡単な説明】
【００１２】
【図１】本発明の実施の形態に係るデジタルカメラ１００の背面図
【図２】本発明の実施の形態に係るデジタルカメラ１００のブロック図
【図３】Ｅｘｉｆフォーマットの画像ファイルの構成を示す概念図
【図４】メニュー画面の一例を示す図
【図５】サブメニュー画面の一例を示す図
【図６】入力画面の一例を示す図
【図７】入力画面の一例を示す図
【図８】入力画面の一例を示す図
【図９】制御部７に内蔵されたメモリに記憶されたイベントの開始日と終了日と特定情報の概念を示す図
【図１０】制御部７に内蔵されたメモリに記憶されたイベントの開始日と終了日と特定情報と画像ファイルのファイル名の概念を示す図
【図１１】選択画面の一例を示す図
【図１２】マルチ表示画面の一例を示す図
【図１３】一枚表示画面の一例を示す図
【図１４】カレンダー画面の一例を示す図
【発明を実施するための形態】
【００１３】
以下、図面を参照して本発明の実施の形態を説明する。
（実施の形態１）
（１．構成）
（１−１．外観）
本発明の実施の形態に係るデジタルカメラ１００の構成について説明する。図１は、本発明の実施の形態に係るデジタルカメラ１００の背面図である。図１に示すように、デジタルカメラ１００の背面には、電源スイッチ１２２、ＭＥＮＵボタン１２３、ＳＥＴボタン１２４、十字キー１２５ａ、１２５ｂ、１２５ｃ、１２５ｄ、ＬＣＤ１５０を備えている。また、デジタルカメラ１００の上面には、モードダイアル１２０、シャッターボタン１２１を備えている。
【００１４】
電源スイッチ１２２をＯＮ側にスライドすると、デジタルカメラ１００の電源が投入される。モードダイアル１２０を回転させて、所望の撮影モードを選択する。ＬＣＤ１５０に被写体が表示されるので、これを観察しながら構図を決定する。シャッターボタン１２１を押下すると、被写体の画像が画像ファイルとして記録される。画像ファイルのヘッダ部には、撮影日時、撮影モードなど画像データに付随する情報が記載される。
（１−２．ブロック構成）
図２は、本発明の実施の形態に係るデジタルカメラ１００のブロック図である。デジタルカメラ１００は、被写体の光学像を形成する撮像光学系１と、撮像光学系１で形成された光学像を電気信号に変換するＣＣＤ２と、ＣＣＤ２で変換された電気信号をデジタル信号に変換するＡ／Ｄ変換器３と、Ａ／Ｄ変換器３で変換されたデジタル信号に対して所定の信号処理を行い、画像データを生成する画像処理部４と、画像処理部４で生成された画像データを含む画像ファイルを記録する記憶部５と、画像処理部４で生成された画像データに基づく画像およびメニュー画面、サブメニュー画面、入力画面、選択画面、一枚表示画面、マルチ表示画面、カレンダー画面を表示するＬＣＤ１５０と、デジタルカメラ１００に指示を与える操作部６と、操作部６から与えられた指示にしたがって画像処理部４を制御する制御部７を備える。
【００１５】
なお、記憶部５は、入出力部５ａと着脱可能な記憶媒体であるメモリカード５ｂで構成されている。操作部６は、図１に示したデジタルカメラ１００の背面図において、ＭＥＮＵボタン１２３、ＳＥＴボタン１２４、十字キー１２５ａ、１２５ｂ、１２５ｃ、１２５ｄに対応する。
（１−３．画像ファイルフォーマット）
本発明の実施の形態に係るデジタルカメラ１００は、Ｅｘｉｆ（Ｅｘｃｈａｎｇｅａｂｌｅ  Ｉｍａｇｅ  Ｆｉｌｅ  Ｆｏｒｍａｔ）フォーマットにしたがい画像ファイルを記録する。
【００１６】
図３は、Ｅｘｉｆフォーマットの画像ファイルの構成を示す概念図である。Ｅｘｉｆフォーマットでは、画像データに対してヘッダ部が付加される。ヘッダ部には、画像データのサムネイル画像と属性情報が記載される。属性情報には、撮影日時、撮影モード、特定情報など画像データに付随する情報が含まれる。
【００１７】
撮影日時、撮影モードなど撮影時に確定する属性情報は、撮影と同時に画像ファイルのヘッダ部に記載される。一方、特定情報は、後述するように、事後的に画像ファイルのヘッダ部に記載される。特定情報は、画像データが関連付けられたイベントを特定するための情報である。特定情報として、例えば、旅行先の地名などが考えられる。
（２．動作）
（２−１．イベント入力）
ＭＥＮＵボタン１２３を押下すると、図４に示すメニュー画面が表示される。図４は、メニュー画面の一例を示す図である。本実施の形態に係るデジタルカメラ１００は、「イベント入力」と「イベント検索」を行なうことができる。「イベント検索」については、後述することとし、ここでは、「イベント入力」について説明する。
【００１８】
十字キーの上下ボタン１２５ｂ、１２５ｄを押下すると、「イベント入力」と「イベント検索」の機能を切り替えることができる。図４は、「イベント入力」が選択された状態を示している。十字キーの左ボタン１２５ｃを押下すると直前に表示されていた画面に戻ることができる。
【００１９】
図４に示す状態において、ＳＥＴボタン１２４を押下すると、図５に示すサブメニュー画面が表示される。図５は、サブメニュー画面の一例を示す図である。本実施の形態に係るデジタルカメラ１００は、「日付入力」と「特定情報入力」を行なうことができる。
【００２０】
十字キーの上下ボタン１２５ｂ、１２５ｄを押下すると、「日付入力」と「特定情報入力」の機能を切り替えることができる。図５は、「日付入力」が選択された状態を示している。十字キーの左ボタン１２５ｃを押下すると図４に示すメニュー画面に戻ることができる。
【００２１】
まず、「日付入力」について説明する。図５に示す状態において、ＳＥＴボタン１２４を押下すると、図６に示す入力画面が表示される。図６は、入力画面の一例を示す図である。最初にイベントの開始日を入力する。枠６０１は、年が選択されていることを示す。十字キーの右ボタン１２５ａを押下すると、月・日を順次選択することができる。図６に示す状態では、年が選択されているので、十字キーの上下ボタン１２５ｂ、１２５ｄを押下することで年を変更することができる。同様に、月が選択されている状態では、十字キーの上下ボタン１２５ｂ、１２５ｄを押下することで月を変更することができ、日が選択されている状態では、十字キーの上下ボタン１２５ｂ、１２５ｄを押下することで日を変更することができる。十字キーの左ボタン１２５ｃを押下すると図５に示すサブメニュー画面に戻ることができる。図５では、イベントの開始日として「２００９年６月８日」が入力された。
【００２２】
次にイベントの終了日を入力する。イベントの開始日の入力が完了した状態でＳＥＴボタン１２４を押下すると、図７に示す入力画面が表示される。図７は、入力画面の一例を示す図である。図７に示す入力画面では、図６に示す入力画面と同様の方法でイベントの終了日を入力することができる。十字キーの左ボタン１２５ｃを押下すると図６に示す入力画面に戻ることができる。図７では、イベントの終了日として「２００９年６月１１日」が入力された。
【００２３】
本実施の形態に係るデジタルカメラ１００では、イベントの開始と終了を開始日と終了日というように日で入力することとしたが、イベントの開始と終了を日時で入力できるようにしてもよい。例えば、イベントの開始が午後からである場合には、イベントの開始日時として「２００９年６月８日１２時００分」のように入力することができる。
【００２４】
以上でイベントの開始日と終了日の入力が完了した。イベントの開始日は「２００９年６月８日」であり、イベントの終了日は「２００９年６月１１日」である。制御部７は、開始日と終了日で規定される期間にイベントがあった、またはイベントがあることを記憶する。開始日と終了日は、制御部７に内蔵されたメモリに記憶される。
【００２５】
イベントの終了日の入力が完了した状態でＳＥＴボタン１２４を押下すると、図５に示すサブメニュー画面に戻る。十字キーの下ボタン１２５ｄを押下すると、「特定情報入力」の機能に切り替えることができる。「特定情報入力」の機能に切り替えた状態でＳＥＴボタン１２４を押下すると、図８に示す入力画面が表示される。図８は、入力画面の一例を示す図である。図８に示す入力画面では、開始日と終了日が入力されたイベントに対して特定情報を入力することができる。
【００２６】
図８に示す入力画面について、概略を説明する。第二フィールド５０２から入力したい文字を選択し、決定すると、第一フィールド５０１に反映される構成となっている。
【００２７】
十字キーの左右ボタン１２５ａ、１２５ｃを押下すると、選択された文字を変更することができる。図８に示す状態では、英小文字の「ｏ」が選択されている。十字キーの上下ボタン１２５ｂ、１２５ｄを押下すると、文字種を切り替えることができる。図８は、文字種として「英数」が選択された状態を示すが、「英数」の他に「ひらがな」と「カタカナ」と「記号」のいずれかを選択することができる。
【００２８】
ＳＥＴボタン１２４を押下すると、第二フィールド５０２において選択されている文字が第一フィールド５０１の下線部に反映される。図８は、英小文字の「ｏ」が選択されている状態でＳＥＴボタン１２４を押下することにより、第一フィールド５０１に英小文字の「ｏ」が反映された状態を示している。下線部は、次の入力可能位置を示している。
【００２９】
文字の入力においては、様々な方式が提案されているので、デジタルカメラ１００が備える操作部８の構成に適した入力方法を採用すればよく、必ずしも上記の方法でなければならないわけではない。また、かな漢字変換機能や学習機能、人名辞書、地名辞書などを備えるようにしてもよい。
【００３０】
図８に示す入力画面において、ＭＥＮＵボタン１２３を押下すると、第一フィールド５０１の文字列「Ｋｙｏｔｏ」が、「２００９年６月８日」という開始日と「２００９年６月１１日」という終了日をもつイベントと関連付けられて制御部７に内蔵されたメモリに記憶される。
【００３１】
図９は、制御部７に内蔵されたメモリに記憶されたイベントの開始日と終了日と特定情報の概念を示す図である。第一列９０１はイベントの開始日を示し、第二列９０２はイベントの終了日を示し、第三列９０３はイベントの特定情報を示す。イベントの特定情報は、旅行先の地名を想定しているが、これに限定するものではない。例えば、新婚旅行や修学旅行のようなイベントの名称であってもよい。また、本実施の形態に係るデジタルカメラ１００を複数のユーザーで共有している場合は、開始日と終了日で規定される期間に撮影を行ったユーザーを特定する情報であってもよい。
【００３２】
本実施の形態に係るデジタルカメラ１００は、イベントの開始日と終了日と特定情報の組を複数記憶することができる。図９に示す概念図において、「スペイン」「Ｋｙｏｔｏ」という特定情報が入力されたイベントは、既に終了しているものとする。一方、「ほっかいどう」という特定情報が入力されたイベントは、まだ開始されていないものとする。
【００３３】
以上でイベントの開始日と終了日と特定情報の入力が完了した。ここで入力したイベントの開始日は「２００９年６月８日」であり、イベントの終了日は「２００９年６月１１日」であり、イベントの特定情報は「Ｋｙｏｔｏ」である。
【００３４】
なお、本実施の形態に係るデジタルカメラ１００は、イベントの開始日と終了日と特定情報の組を制御部７に内蔵されたメモリに記憶することとしたが、これに限定するものではない。例えば、デジタルカメラ１００内の独立したメモリデバイス、例えばフラッシュメモリなどに記憶してもよい。また、メモリカード５ｂに管理ファイルを作成し、イベントの開始日と終了日と特定情報の組をメモリカード５ｂ内の管理ファイルに記載してもよい。
【００３５】
イベントの開始日と終了日と特定情報が入力されると、制御部７は、メモリカード５ｂに記録された画像ファイルのヘッダ部の属性情報に記載された撮影日時を順次調べて、イベントの開始日と終了日で規定される期間に含まれる撮影日時が記載された画像ファイルを発見すると、発見した画像ファイルのヘッダ部の属性情報に、イベントの開始日と終了日に関連付けられた特定情報を記載する。
【００３６】
ここで、前述のように、「ほっかいどう」という特定情報が入力されたイベントは、まだ開始されていないので、「ほっかいどう」という特定情報に関連付けられたイベントの開始日と終了日で規定される期間に含まれる撮影日時がヘッダ部の属性情報に記載された画像ファイルは存在しない。時間が経過し、「ほっかいどう」という特定情報に関連付けられた開始日にいたると、以降、「ほっかいどう」という特定情報に関連付けられた終了日にいたるまで、制御部７は、撮影と同時に、画像ファイルのヘッダ部の属性情報に撮影日時と撮影モードに加えて特定情報である「ほっかいどう」を記載する。
【００３７】
なお、本実施の形態に係るデジタルカメラ１００において、イベントの開始日と終了日と特定情報が入力されると、制御部７は、メモリカード５ｂに記録された画像ファイルのヘッダ部の属性情報に記載された撮影日時を順次調べることとしたが、これに限定するものではない。メモリカード５ｂに記録された画像ファイルの数が多い場合、メモリカード５ｂに記録された画像ファイルのヘッダ部の属性情報に記載された撮影日時を順次調べるには相当の時間を要するので、ユーザーからの指示を受け付けてからこの処理を実施するようにしてもよい。また、メモリカード５ｂに記録された画像ファイルのヘッダ部の属性情報に記載された撮影日時を順次調べるのではなく、画像ファイルに付されたタイムスタンプを順次調べることとしてもよい。画像ファイルのヘッダ部の属性情報に記載された撮影日時と画像ファイルに付されたタイムスタンプは相違することが考えられるが、厳密性よりも高速性を重視するのであれば、画像ファイルに付されたタイムスタンプを順次調べることも許容される。
【００３８】
また、本実施の形態に係るデジタルカメラ１００において、イベントの開始日と終了日で規定される期間に含まれる撮影日時が記載された画像ファイルを発見すると、発見した画像ファイルのヘッダ部の属性情報に、イベントの開始日と終了日に関連付けられた特定情報を記載することとしたが、これに限定するものではない。
【００３９】
例えば、イベントの開始日と終了日で規定される期間に含まれる撮影日時が記載された画像ファイルを発見すると、発見した画像ファイルのファイル名をイベントの開始日と終了日と特定情報に関連付けて制御部７に内蔵されたメモリに記憶してもよい。図１０は、制御部７に内蔵されたメモリに記憶されたイベントの開始日と終了日と特定情報と画像ファイルのファイル名の概念を示す図である。第一列９０１はイベントの開始日を示し、第二列９０２はイベントの終了日を示し、第三列９０３はイベントの特定情報を示す。第四列９０４は、イベントの開始日と終了日と特定情報に関連付けられた画像ファイルのファイル名を示す。
【００４０】
あるいは、発見した画像ファイルのヘッダ部の属性情報に、イベントの開始日と終了日に関連付けられた特定情報を記載することも、発見した画像ファイルのファイル名をイベントの開始日と終了日と特定情報に関連付けて制御部７に内蔵されたメモリに記憶することもせず、都度、メモリカード５ｂに記録された画像ファイルのヘッダ部の属性情報に記載された撮影日時を順次調べることとしてもよい。
（２−２．イベント検索）
以上で「イベント入力」についての説明が終了した。ＭＥＮＵボタン１２３を押下すると、図４に示すメニュー画面が表示される。図４は、メニュー画面の一例を示す図である。本実施の形態に係るデジタルカメラ１００は、「イベント入力」と「イベント検索」を行なうことができる。ここでは、「イベント検索」について説明する。
【００４１】
十字キーの上下ボタン１２５ｂ、１２５ｄを押下すると、「イベント入力」と「イベント検索」の機能を切り替えることができる。図４は、「イベント入力」が選択された状態を示している。十字キーの左ボタン１２５ｃを押下すると直前に表示されていた画面に戻ることができる。
【００４２】
十字キーの下ボタン１２５ｄを押下すると、「イベント検索」が選択された状態に切り替えることができる。「イベント検索」が選択された状態に切り替えた状態でＳＥＴボタン１２４を押下すると、図１１に示す選択画面が表示される。図１１は、選択画面の一例を示す図である。図１１に示す選択画面では、制御部７に内蔵されたメモリに記憶された複数のイベントの特定情報から一の特定情報を選択することができる。十字キーの左ボタン１２５ｃを押下すると図４に示すメニュー画面に戻ることができる。
【００４３】
制御部７は、イベントの特定情報を制御部７に内蔵されたメモリから読み出して、ＬＣＤ１５０に一覧表示する。黒塗りの三角印１１０１は、「スペイン」以前にも特定情報が存在することを示し、白抜きの三角印１１０２は、「ほっかいどう」以後には特定情報が存在しないことを示す。図１１は、「Ｋｙｏｔｏ」が選択された状態を示している。十字キーの上下ボタン１２５ｂ、１２５ｄを押下すると、選択された特定情報を変更することができる。ただし、「ほっかいどう」という特定情報が入力されたイベントは、まだ開始されていないので、「ほっかいどう」という特定情報を選択することはできない。
【００４４】
制御部７は、メモリカード５ｂに記録された画像ファイルのヘッダ部の属性情報に記載された特定情報を順次調べて、選択された特定情報が記載された画像ファイルを検索する。特定情報が一覧表示された領域の左側には、選択された特定情報がヘッダ部の属性情報に記載された画像ファイルのサムネイルに基づく画像１１０３が表示される。選択された特定情報がヘッダ部の属性情報に記載された画像ファイルが複数存在する場合は、選択された特定情報に関連付けられたイベントの開始日と終了日で規定される期間の最初または最後に撮影された画像を表示させてもよいし、画像データを評価して評価値、例えば合焦度合いの高い画像を表示させてもよい。あるいは、顔認識機能を用いて人物が撮影されている画像を表示させてもよい。また、複数の画像を表示させてもよいし、その際、複数の画像の一部をオーバーラップさせて表示させてもよい。
（２−３．表示）
図１１に示す選択画面において、ＳＥＴボタン１２４を押下すると、図１２に示すマルチ表示画面が表示される。図１２は、マルチ表示画面の一例を示す図である。上部には、選択された特定情報である「Ｋｙｏｔｏ」が表示されている。「Ｋｙｏｔｏ」に関連付けられた開始日と終了日で規定される期間に含まれる撮影日時を有する画像は４枚であることが分かる。
【００４５】
図１２では、夜景と人物が撮影された左上の画像が選択されている。十字キーの左右ボタン１２５ａ、１２５ｃを押下することで、選択されている画像を変更することができる。マルチ表示画面が複数にわたる場合、すなわち「Ｋｙｏｔｏ」に関連付けられた開始日と終了日で規定される期間に含まれる撮影日時を有する画像が７枚以上ある場合は、十字キーの上下ボタン１２５ｂ、１２５ｄを押下することで、ページを変更することができる。十字キーの上ボタン１２５ｂを押下すると、前ページのマルチ表示画面が表示される。一方、十字キーの下ボタン１２５ｄを押下すると、次ページのマルチ表示画面が表示される。
【００４６】
図１２に示すマルチ表示画面において、ＳＥＴボタン１２４を押下すると、図１３に示す一枚表示画面が表示される。図１３は、一枚表示画面の一例を示す図である。下部には、選択された特定情報である「Ｋｙｏｔｏ」が表示されている。
【００４７】
なお、本実施の形態に係るデジタルカメラ１００では、図１１に示す選択画面において、ＳＥＴボタン１２４を押下すると、図１２に示すマルチ表示画面が表示され、図１２に示すマルチ表示画面において、ＳＥＴボタン１２４を押下すると、図１３に示す一枚表示画面が表示されることとしたが、これに限定するものではない。例えば、図１１に示す選択画面において、ＳＥＴボタン１２４を押下すると、図１４に示すカレンダー画面が表示され、図１４に示すカレンダー画面において、ＳＥＴボタン１２４を押下すると、図１２に示すマルチ表示画面または図１３に示す一枚表示画面が表示されることとしてもよい。あるいは、図１４に示すカレンダー画面において、ＳＥＴボタン１２４を押下すると、「Ｋｙｏｔｏ」に関連付けられた開始日と終了日で規定される期間に含まれる撮影日時を有する画像がスライドショー再生されることとしてもよい。
【００４８】
図１４は、カレンダー画面の一例を示す図である。特定情報である「Ｋｙｏｔｏ」に関連付けられたイベントの開始日は「２００９年６月８日」であり終了日は「２００９年６月１１日」である。したがって、図１４に示すカレンダー画面には、２００９年６月８日から２００９年６月１１日の期間に含まれる撮影日時を有する画像が対応する位置に表示されている。制御部７は、画像ファイルのヘッダ部に記載された撮影日時に基づいて、これらの画像を対応する位置に表示させる。画像の表示は、ヘッダ部に記載されたサムネイル画像を用いて行う。このとき、対応する位置の大きさに合わせて、サムネイル画像を拡大または縮小してもよい。同時に、特定情報である「Ｋｙｏｔｏ」という文字列がバルーン表示される。
【００４９】
同日に撮影された画像が複数存在する場合は、その日の最初または最後に撮影された画像を表示させてもよいし、画像データを評価して評価値、例えば合焦度合いの高い画像を表示させてもよい。あるいは、顔認識機能を用いて人物が撮影されている画像を表示させてもよい。また、複数の画像を表示させてもよいし、その際、複数の画像の一部をオーバーラップさせて表示させてもよい。さらに、一日を午前と午後またはそれ以上に細分し、それぞれの時間帯に撮影された画像を表示させてもよい。図１４では、月単位のカレンダー画面を示したが、カレンダー画面は週単位であってもよいし、複数の月をまとめて表示するものであってもよい。
【００５０】
なお、本発明の実施の形態に係るデジタルカメラ１００では、図１４に示すカレンダー画面には、２００９年６月８日から２００９年６月１１日の期間に含まれる撮影日時を有する画像が対応する位置に表示されるとしたが、これに限定するものではない。２００９年６月８日から２００９年６月１１日の期間に特定情報である「Ｋｙｏｔｏ」という文字列を表示し、画像を表示させなくてもよい。その際は、特定情報である「Ｋｙｏｔｏ」という文字列のバルーン表示は不要である。
【００５１】
また、本発明の実施の形態に係るデジタルカメラ１００では、図４に示すメニュー画面において、「イベント検索」を選択した状態でＳＥＴボタン１２４を押下すると、図１１に示す選択画面が表示されることとしたが、これに限定するものではない。例えば、図４に示すメニュー画面において、「イベント検索」を選択した状態でＳＥＴボタン１２４を押下すると、図８に示す入力画面が表示され、図８に示す入力画面において、検索したいイベントに関連付けられた特定情報を示す文字列を入力してＳＥＴボタン１２４を押下すると、入力された特定情報に関連付けられた開始日と終了日で規定される期間に含まれる撮影日時を有する画像がマルチ表示画面またはカレンダー画面に表示されるようにしてもよい。あるいは、入力された特定情報に関連付けられた開始日と終了日で規定される期間に含まれる撮影日時を有する画像がスライドショー再生されるようにしてもよい。
【００５２】
以上、本発明を撮像装置であるデジタルカメラ１００に適用した実施の形態を説明したが、本発明は、フォトビューワやフォトフレームなどの画像表示装置に適用することもできる。画像ファイルのヘッダ部には撮影日時が記載されているのが通常であるから、イベントの始期・終期・特定情報を入力する入力手段と、画像データのうち始期・終期の間に撮影日時を有する画像データに対して特定情報を付加する特定情報付加手段と、複数の特定情報のうち一の特定情報を指定する特定情報指定手段と、指定された特定情報が付加された画像データを検索する検索手段と、を備えればよい。
【産業上の利用可能性】
【００５３】
本発明によれば、特定のイベントに関連付けられた画像を容易に検索することができるので、デジタルカメラ、デジタルビデオカメラ、カメラ付携帯電話のような撮像装置やフォトビューワ、フォトフレームのような画像表示装置に適用して有用である。
【符号の説明】
【００５４】
１    レンズ
２    ＣＣＤ
３    ＡＤ変換器
４    画像処理部
５    データ格納部
５ａ    入出力部
５ｂ    メモリカード
６    操作部
７    制御部
８    操作部
１００    デジタルカメラ
１２０    モードダイアル
１２１    シャッターボタン
１２２    電源スイッチ
１２３    ＭＥＮＵボタン
１２４    ＳＥＴボタン
１２５    十字キー
１２５ａ    右ボタン
１２５ｂ    上ボタン
１２５ｃ    左ボタン
１２５ｄ    下ボタン
１５０    ＬＣＤ
【図１】
2011109288.tif 000003
【図２】
2011109288.tif 000004
【図３】
2011109288.tif 000005
【図４】
2011109288.tif 000006
【図５】
2011109288.tif 000007
【図６】
2011109288.tif 000008
【図７】
2011109288.tif 000009
【図８】
2011109288.tif 000010
【図９】
2011109288.tif 000011
【図１０】
2011109288.tif 000012
【図１１】
2011109288.tif 000013
【図１２】
2011109288.tif 000014
【図１３】
2011109288.tif 000015
【図１４】
2011109288.tif 000016